(57)【要約】      （修正有）【課題】少なくとも１つの鍵管理部材を、他の少なくとも１つの鍵管理部材と色分けすることにより、各鍵管理部材を見た目で例えば使用用途毎や使用者毎に区別しやすくなり、また、扉を開いたときの見栄えを良くすることができる鍵保管装置を提供する。【解決手段】鍵保管装置は、鍵がそれぞれ取り付けられた複数の鍵管理部材（例えば、ホルダー３２）と、各鍵管理部材を保管するための保管部（例えば、ホルダー保管部３０）とを備えており、保管部は、各鍵管理部材を施錠する錠機構３４を有している。また、少なくとも１つの鍵管理部材が、他の少なくとも１つの鍵管理部材と色分けされている。【選択図】図７
2016176213.tif 000002
【特許請求の範囲】
【請求項１】
鍵がそれぞれ取り付けられた複数の鍵管理部材と、
各前記鍵管理部材を保管するための保管部であって、各前記鍵管理部材を施錠する錠機構を有する保管部と、
を備え、
少なくとも１つの前記鍵管理部材が、他の少なくとも１つの前記鍵管理部材と色分けされている、鍵保管装置。
【請求項２】
各前記鍵管理部材は、当該鍵管理部材が施錠される前記錠機構に対応する固有の特性を有する固有本体部分と、前記固有本体部分に着脱可能となっており各前記鍵管理部材で共通の形状とされる共通部分とを有しており、
少なくとも１つの前記鍵管理部材の前記共通部分が、他の少なくとも１つの前記鍵管理部材の前記共通部分と色分けされている、請求項１記載の鍵保管装置。
【請求項３】
前記共通部分は、鍵が取り付けられるリングと、前記リングを着脱自在に支持するリング支持部分とを有しており、
少なくとも１つの前記鍵管理部材における前記リング支持部分および前記リングのうち少なくとも一部が、他の少なくとも１つの前記鍵管理部材における前記リング支持部分および前記リングのうち少なくとも一部と色分けされている、請求項２記載の鍵保管装置。
【請求項４】
前記保管部において各前記鍵管理部材が施錠される前記錠機構に対応して表示部が設けられており、
各前記表示部の色は当該表示部に対応する前記錠機構で施錠される前記鍵管理部材の色に関連する色である、請求項１乃至３のいずれか一項に記載の鍵保管装置。
【請求項５】
各前記表示部は、複数の色で発光可能な発光部を含む、請求項４記載の鍵保管装置。
【請求項６】
前記錠機構の設定情報を表示するための設定情報表示部を更に備え、
前記設定情報表示部に表示される、前記設定情報を前記錠機構毎に示す表示部分の色は当該表示部分に対応する前記錠機構で施錠される前記鍵管理部材の色に関連する色である、請求項１乃至５のいずれか一項に記載の鍵保管装置。
【請求項７】
前記設定情報表示部において、各前記表示部分は、前記保管部における各前記錠機構の配列に対応する位置に表示される、請求項６記載の鍵保管装置。
【請求項８】
各前記錠機構の属性または各前記錠機構により施錠される前記鍵管理部材の属性を設定するための属性設定部と、
前記錠機構の設定情報を表示するための設定情報表示部と、
を更に備え、
前記設定情報表示部に表示される、前記設定情報を前記錠機構毎に示す表示部分の色は、前記属性設定部により設定された、当該表示部分に対応する前記錠機構の前記属性または当該表示部分に対応する前記錠機構により施錠される前記鍵管理部材の前記属性に関連付けられた色となっている、請求項１乃至３のいずれか一項に記載の鍵保管装置。
【請求項９】
前記保管部において各前記鍵管理部材が施錠される前記錠機構に対応して表示部が設けられており、
各前記表示部は、複数の色で発光可能な発光部を含み、
前記発光部は、前記設定情報表示部における当該発光部に対応する前記錠機構の前記設定情報を示す前記表示部分の色に関連する色で発光する、請求項８記載の鍵保管装置。
【請求項１０】
前記設定情報表示部に表示される、前記設定情報を前記錠機構毎に示す表示部分の色は当該表示部分に対応する前記錠機構で施錠される前記鍵管理部材の色に関連する色である、請求項８または９記載の鍵保管装置。
【請求項１１】
各前記錠機構の属性または各前記錠機構により施錠される前記鍵管理部材の属性を設定するための属性設定部を更に備え、
前記保管部において各前記鍵管理部材が施錠される前記錠機構に対応して表示部が設けられており、
各前記表示部は、複数の色で発光可能な発光部を含み、
前記発光部は、前記属性設定部により設定された、当該発光部に対応する前記錠機構の前記属性または当該発光部に対応する前記錠機構により施錠される前記鍵管理部材の前記属性に関連付けられた色で発光する、請求項１乃至３のいずれか一項に記載の鍵保管装置。
【請求項１２】
前記発光部は、当該発光部に対応する前記錠機構により施錠される前記鍵管理部材の色に関連する色で発光する、請求項１１記載の鍵保管装置。
【請求項１３】
各前記錠機構の属性または各前記錠機構により施錠される前記鍵管理部材の属性は、当該鍵管理部材に取り付けられた鍵の使用対象、使用場所、使用可能者およびセキュリティレベルのうち少なくとも一つのものである、請求項８乃至１２のいずれか一項に記載の鍵保管装置。
【発明の詳細な説明】
【技術分野】
【０００１】
本発明は、複数の鍵を保管することができる鍵保管装置に関する。
【背景技術】
【０００２】
従来から、金融機関や流通機関等において、処理機器の作業用の鍵や管理場所を開閉するための鍵等、複数の重要な鍵が使用されており、これらの鍵の使用可能者を制限したり、鍵の使用履歴を残したりするために、鍵保管装置を用いて電子制御により鍵の管理を行うようになっている。このような鍵保管装置としては、例えば特許文献１に開示されるものが知られている。特許文献１に開示される鍵保管装置では、鍵を連結したキーホルダを着脱可能とする錠機構が設けられている。このような鍵保管装置から鍵を取り出して使用しようとする者は、所持するＩＤカードをカードリーダ等によって読み取らせることにより承認操作を行った後、鍵保管装置の本体の前面に設けられた扉を開くことにより、錠機構からキーホルダを取り外して鍵を使用することができるようになっている。
【先行技術文献】
【特許文献】
【０００３】
【特許文献１】特開２０１３−１２７１９６号公報
【発明の概要】
【発明が解決しようとする課題】
【０００４】
従来の鍵保管装置では、当該鍵保管装置により保管される複数のキーホルダの形状および色は全てほぼ同じであった。このため、鍵保管装置の本体の前面に設けられた扉を開いたときに各キーホルダを見た目で区別しにくいという問題があった。
【０００５】
本発明は、このような点を考慮してなされたものであり、少なくとも１つの鍵管理部材を、他の少なくとも１つの鍵管理部材と色分けすることにより、各鍵管理部材を見た目で例えば使用用途毎や使用者毎に区別しやすくなり、また、扉を開いたときの見栄えを良くすることができる鍵保管装置を提供することを目的とする。
【課題を解決するための手段】
【０００６】
本発明の鍵保管装置は、鍵がそれぞれ取り付けられた複数の鍵管理部材と、各前記鍵管理部材を保管するための保管部であって、各前記鍵管理部材を施錠する錠機構を有する保管部と、を備え、少なくとも１つの前記鍵管理部材が、他の少なくとも１つの前記鍵管理部材と色分けされていることを特徴とする。
【０００７】
このような鍵保管装置によれば、少なくとも１つの鍵管理部材を、他の少なくとも１つの鍵管理部材と色分けすることにより、各鍵管理部材を見た目で例えば使用用途毎や使用者毎に区別しやすくなり、また、扉を開いたときの見栄えを良くすることができる。
【０００８】
本発明の鍵保管装置においては、各前記鍵管理部材は、当該鍵管理部材が施錠される前記錠機構に対応する固有の特性を有する固有本体部分と、前記固有本体部分に着脱可能となっており各前記鍵管理部材で共通の形状とされる共通部分とを有しており、少なくとも１つの前記鍵管理部材の前記共通部分が、他の少なくとも１つの前記鍵管理部材の前記共通部分と色分けされていてもよい。
【０００９】
この場合、前記共通部分は、鍵が取り付けられるリングと、前記リングを着脱自在に支持するリング支持部分とを有しており、少なくとも１つの前記鍵管理部材における前記リング支持部分および前記リングのうち少なくとも一部が、他の少なくとも１つの前記鍵管理部材における前記リング支持部分および前記リングのうち少なくとも一部と色分けされていてもよい。
【００１０】
本発明の鍵保管装置においては、前記保管部において各前記鍵管理部材が施錠される前記錠機構に対応して表示部が設けられており、各前記表示部の色は当該表示部に対応する前記錠機構で施錠される前記鍵管理部材の色に関連する色であってもよい。
【００１１】
この場合、各前記表示部は、複数の色で発光可能な発光部を含んでいてもよい。
【００１２】
本発明の鍵保管装置は、前記錠機構の設定情報を表示するための設定情報表示部を更に備え、前記設定情報表示部に表示される、前記設定情報を前記錠機構毎に示す表示部分の色は当該表示部分に対応する前記錠機構で施錠される前記鍵管理部材の色に関連する色であってもよい。
【００１３】
この場合、前記設定情報表示部において、各前記表示部分は、前記保管部における各前記錠機構の配列に対応する位置に表示されるようになっていてもよい。
【００１４】
本発明の鍵保管装置は、各前記錠機構の属性または各前記錠機構により施錠される前記鍵管理部材の属性を設定するための属性設定部と、前記錠機構の設定情報を表示するための設定情報表示部と、を更に備え、前記設定情報表示部に表示される、前記設定情報を前記錠機構毎に示す表示部分の色は、前記属性設定部により設定された、当該表示部分に対応する前記錠機構の前記属性または当該表示部分に対応する前記錠機構により施錠される前記鍵管理部材の前記属性に関連付けられた色となっていてもよい。
【００１５】
この場合、前記保管部において各前記鍵管理部材が施錠される前記錠機構に対応して表示部が設けられており、各前記表示部は、複数の色で発光可能な発光部を含み、前記発光部は、前記設定情報表示部における当該発光部に対応する前記錠機構の前記設定情報を示す前記表示部分の色に関連する色で発光するようになっていてもよい。
【００１６】
また、前記設定情報表示部に表示される、前記設定情報を前記錠機構毎に示す表示部分の色は当該表示部分に対応する前記錠機構で施錠される前記鍵管理部材の色に関連する色であってもよい。
【００１７】
本発明の鍵保管装置は、各前記錠機構の属性または各前記錠機構により施錠される前記鍵管理部材の属性を設定するための属性設定部を更に備え、前記保管部において各前記鍵管理部材が施錠される前記錠機構に対応して表示部が設けられており、各前記表示部は、複数の色で発光可能な発光部を含み、前記発光部は、前記属性設定部により設定された、当該発光部に対応する前記錠機構の前記属性または当該発光部に対応する前記錠機構により施錠される前記鍵管理部材の前記属性に関連付けられた色で発光するようになっていてもよい。
【００１８】
この場合、前記発光部は、当該発光部に対応する前記錠機構により施錠される前記鍵管理部材の色に関連する色で発光するようになっていてもよい。
【００１９】
また、各前記錠機構の属性または各前記錠機構により施錠される前記鍵管理部材の属性は、当該鍵管理部材に取り付けられた鍵の使用対象、使用場所、使用可能者およびセキュリティレベルのうち少なくとも一つのものであってもよい。
【発明の効果】
【００２０】
本発明の鍵保管装置によれば、少なくとも１つの鍵管理部材を、他の少なくとも１つの鍵管理部材と色分けすることにより、各鍵管理部材を見た目で例えば使用用途毎や使用者毎に区別しやすくなり、また、扉を開いたときの見栄えを良くすることができる。
【図面の簡単な説明】
【００２１】
【図１】本発明の実施の形態による鍵保管装置の外観を示す斜視図であって、前面扉が閉じているときの状態を示す図である。
【図２】図１に示す鍵保管装置の正面図であって、前面扉が閉じているときの状態を示す図である。
【図３】図１に示す鍵保管装置において、操作表示部が鉛直面から傾斜したときの状態を示す斜視図である。
【図４】本発明の実施の形態による鍵保管装置の外観を示す斜視図であって、前面扉が開いているときの状態を示す図である。
【図５】図４に示す鍵保管装置の正面図であって、前面扉が開いているときの状態を示す図である。
【図６】図４に示す鍵保管装置の上面図であって、前面扉が開いているときの状態を示す図である。
【図７】図１に示す鍵保管装置に設けられたホルダー保管部の各構成部材の分解斜視図である。
【図８】図７に示すホルダー保管部により保管されるホルダーの構成を拡大して示す斜視図である。
【図９】図８に示すホルダーの固有本体部分を背面側から見たときの端面の構成を示す図である。
【図１０】（ａ）〜（ｃ）は、図７に示すホルダー保管部により保管されるホルダーの固有本体部分が色分けされているときの各ホルダーの構成を示す斜視図である。
【図１１】（ａ）〜（ｃ）は、図７に示すホルダー保管部により保管されるホルダーの共通部分が色分けされているときの各ホルダーの構成を示す斜視図である。
【図１２】図１等に示す鍵保管装置における制御系の構成を示す機能ブロック図である。
【図１３】図１等に示す鍵保管装置の正面図であって、ホルダーランプにより表示される色が当該ホルダーランプに対応する錠機構で施錠されるホルダーの色に関連する色となっているときの状態を示す図である。
【図１４】図１等に鍵保管装置において、使用者別の色指定を行う際に操作表示部に表示される設定画面を示す図である。
【図１５】（ａ）〜（ｃ）は、図１等に示す鍵保管装置において、使用者毎に錠機構の操作権限を設定する際に操作表示部に表示される設定画面を示す図である。
【図１６】変形例に係る鍵保管装置における鍵が取り付けられたホルダーの構成を示す図である。
【図１７】図１６に示す鍵およびホルダーについて、ホルダーをカバーの内部に収容させるとともに鍵をカバーの外部に露出させたときの状態を示す図である。
【図１８】図１６に示す鍵およびホルダーについて、鍵をカバーの内部に収容させるとともにホルダーをカバーの外部に露出させたときの状態を示す図である。
【発明を実施するための形態】
【００２２】
以下、図面を参照して本発明の実施の形態について説明する。図１乃至図１５は、本実施の形態による鍵保管装置を示す図である。
【００２３】
図１等に示すように、本実施の形態による鍵保管装置１０は略直方体形状の筐体１２を有しており、この筐体１２の前面には開閉可能な前面扉２０が設けられている。なお、図１乃至図３は、前面扉２０が閉じているときの状態を示す図であり、図４乃至図６は、前面扉２０が開いているときの状態を示す図である。また、筐体１２の上面には取っ手１４が設けられており、使用者はこの取っ手１４を掴むことにより鍵保管装置１０の持ち運びを行うことができるようになっている。より詳細には、取っ手１４は図１等に示すような筐体１２の上面に沿って倒れている状態から手で起こして立位状態（すなわち、筐体１２の高さ方向に沿って延びるような状態）とすることができるようになっており、使用者は鍵保管装置１０の持ち運びを行う際に立位状態となった取っ手１４を掴むようになる。
【００２４】
本実施の形態では、鍵保管装置１０の筐体１２の内部に、当該鍵保管装置１０の各構成部材に電力を供給するための電源（バッテリー）が設けられている。また、筐体１２には図示しない電源スイッチが設けられており、使用者がこの電源スイッチをオンとすることにより鍵保管装置１０の各構成部材に電力が供給されるようになる。このように、本実施の形態による鍵保管装置１０は外部から電力の供給を受けることなく単体で使用することができるようになっている。なお、本実施の形態による鍵保管装置１０では、上記の電源とは別に非常用のバッテリーが設けられていてもよい。
【００２５】
図４および図５に示すように、筐体１２の内部には、鍵（図示せず）がそれぞれ取り付けられた略円柱形状の複数のホルダー（鍵管理部材）３２を保管するためのホルダー保管部（保管部）３０が設けられている。図５に示すように、ホルダー保管部３０は、筐体１２の内部における奥側の面に設けられた複数（例えば、６つ）のホルダー保持プレート３６を有しており、各ホルダー保持プレート３６に、複数（例えば、５つ）のホルダー３２が着脱自在に保持されるようになっている。具体的には、図７に示すように、各ホルダー保持プレート３６には、ホルダー３２が挿入される挿入穴３７が複数（例えば、５つ）設けられている。また、図７に示すように、ホルダー保持プレート３６の裏側には各挿入穴３７に対応して複数の錠機構３４が設けられており、ホルダー３２が挿入穴３７に挿入されたときに錠機構３４によって当該ホルダー３２が施錠されることにより、使用者による挿入穴３７からのホルダー３２の取り出しが規制されるようになっている。また、このような錠機構３４によるホルダー３２の施錠状態が解除されると、使用者は挿入穴３７からホルダー３２を取り出すことができるようになる。このようなホルダー３２の解錠動作は、後述する制御部９０が錠機構３４に解錠指令を送ることにより行われるようになっている。このような錠機構３４が各ホルダー保持プレート３６の各挿入穴３７に対応して設けられていることにより、ホルダー保持プレート３６へのホルダー３２の施錠および解錠をホルダー３２毎に行うことができるようになる。
【００２６】
図７および図８に示すように、各ホルダー３２は、当該ホルダー３２が施錠される錠機構３４に対応する固有の特性を有する円筒形状の固有本体部分３２ａと、鍵が取り付けられるリング３２ｃと、固有本体部分３２ａの先端部分に設けられ、リング３２ｃを着脱自在に支持するリング支持部分３２ｂとを有している。ここで、リング支持部分３２ｂは固有本体部分３２ａの先端部分に着脱可能に取り付けられている。具体的には、通常時にはリング支持部分３２ｂはリング３２ｃを閉ループ状となるよう支持した状態で固有本体部分３２ａに取り付けられるようになっているが、後述する鍵交換部（図示せず）にホルダー３２の固有本体部分３２ａが差し込まれると、この固有本体部分３２ａからリング支持部分３２ｂを取り外すことができるようになっている。そして、リング支持部分３２ｂが固有本体部分３２ａから取り外されるとリング３２ｃを当該リング支持部分３２ｂから取り外すことができるようになり、このリング３２ｃは開くようになる。このことにより、使用者はリング３２ｃに掛けられた鍵を取り外したり当該リング３２ｃに新たな鍵を取り付けたりすることができるようになる。
【００２７】
また、図９に示すように、図８に示す固有本体部分３２ａを背面側から見たときの端面には、後述する鍵交換部（図示せず）に設けられた棒状の解除部材（図示せず）が挿入される解除口３２ｄ、およびホルダー３２の固有の特性としての複数の孔３２ｅがそれぞれ形成されている。これらの孔３２ｅの数および位置はホルダー３２毎に異なるようになっている。また、図７に示すように、ホルダー保管部３０において各ホルダー保持プレート３６の背面側には平板状の誤挿入防止部３５が設けられており、このような誤挿入防止部３５における各錠機構３４に対応する位置には、当該錠機構３４により施錠されるホルダー３２の固有本体部分３２ａの端面に設けられた各孔３２ｅに対応する複数の突起３５ａ（図７参照）が形成されている。そして、ホルダー３２が挿入穴３７に挿入されて錠機構３４により施錠される際に、当該錠機構３４に対応するホルダー３２が正しく挿入穴３７に挿入された場合には、ホルダー３２の固有本体部分３２ａの端面に設けられた各孔３２ｅに誤挿入防止部３５の各突起３５ａが挿入されるようになり、ホルダー３２を挿入穴３７の奥まで押しこんで錠機構３４により当該ホルダー３２を施錠することができるようになる。一方、錠機構３４と対応しないホルダー３２が誤って挿入穴３７に挿入された場合には、このホルダー３２に設けられた各孔３２ｅと当該挿入穴３７の背面側に位置する誤挿入防止部３５の各突起３５ａとが一致しないためホルダー３２を挿入穴３７の奥まで押しこむことができず、よって錠機構３４により当該ホルダー３２を施錠することができないようになる。
【００２８】
このように、各ホルダー３２の固有本体部分３２ａの端面に設けられた各孔３２ｅは、当該ホルダー３２が施錠される錠機構３４に対応する固有の特性として機能するようになる。なお、このようなホルダー３２の固有本体部分３２ａにおける固有の特性は、当該固有本体部分３２ａの端面に設けられた各孔３２ｅに限定されることはない。他の例では、ホルダー３２の固有本体部分３２ａにおける固有の特性として、当該固有本体部分３２ａに埋め込まれたＩＣタグ等が用いられるようになっていてもよい。この場合には、ホルダー３２が挿入穴３７に挿入されて錠機構３４により施錠される際に、ホルダー保管部３０に設けられた図示しない読取部によってこのＩＣタグの識別情報等が無線で読み取られることにより、錠機構３４に対応するホルダー３２が正しく挿入穴３７に挿入されたか否かの照合を行うことができるようになる。
【００２９】
また、本実施の形態では、ホルダー３２におけるリング３２ｃおよびこのようなリング３２ｃを支持するリング支持部分３２ｂは、各ホルダー３２で共通の形状とされる共通部分となっている。
【００３０】
また、図５に示すように、各ホルダー保持プレート３６において、ホルダー３２が挿入される各挿入穴３７に対応して、各挿入穴３７の近傍に（すなわち、ホルダー３２を施錠する各錠機構３４に対応して、各錠機構３４の近傍に）、複数の色で発光可能なＬＥＤ等のホルダーランプ（発光部）４０が設けられている。例えば、使用者が所持するＩＤカードをカードリーダ５６（後述）により読み取らせて当該使用者の認証を行った後、前面扉２０を開くと、カードリーダ５６によって取得された使用者ＩＤに基づいて、当該使用者が抜き取り可能なホルダー３２（すなわち、錠機構３４による施錠状態が解除されたホルダー３２）が挿入された挿入穴３７に対応するホルダーランプ４０が所定の色で点滅するようになる。このことにより、使用者は、抜き取り可能なホルダー３２が一目で分かるようになる。また、使用者によってホルダー３２が挿入穴３７から抜き取られると、当該挿入穴３７に対応するホルダーランプ４０が所定の色での点滅から当該色での点灯に変わる。このことにより、使用者がどのホルダー３２を使用中であるかが一目で分かるようになる。そして、使用者がホルダー３２を元の挿入穴３７に戻すと、この挿入穴３７に対応するホルダーランプ４０が消灯する。なお、後述するように、ホルダーランプ４０により表示される色は、当該ホルダーランプ４０に対応する錠機構３４により施錠されるホルダー３２の色に関連する色となっている。このような技術的事項の詳細については後述する。
【００３１】
また、筐体１２の前面における前面扉２０の右側には、例えばタッチパネル等からなる操作表示部５０、カードリーダ（認証部）５６、プリンタ（印字部）５８等が設けられている。操作表示部５０には鍵保管装置１０の操作画面や当該鍵保管装置１０における鍵の保管状況を示す画面等の様々な画面が表示されるようになっている。また、使用者は操作表示部５０を操作することにより後述する制御部９０に様々な指令を与えることができるようになっている。また、使用者が所持するＩＤカードをカードリーダ５６によって読み取らせると、ＩＤカードに記録されている使用者ＩＤ等の様々な情報がカードリーダ５６によって取得され、この取得された使用者ＩＤ等に基づいて使用者の認証が行われるようになっている。また、前面扉２０の右側における操作表示部５０の下方にはプリンタ５８が設けられている。プリンタ５８は、ホルダー保管部３０による各ホルダー３２の保管状況等の様々な情報を紙に印字するようになっており、プリンタ５８により印字が行われた紙は開口５８ａから筐体１２の前方に投出されるようになっている。また、筐体１２の前面における前面扉２０の右側にはプリンタ扉５９が設けられており、このプリンタ扉５９を開けることによりプリンタ５８にアクセスして当該プリンタ５８に紙を補充したりプリンタ５８のメンテナンスを行ったりすることができるようになっている。
【００３２】
本実施の形態による鍵保管装置１０では、図３に示すように、操作表示部５０を手動で鉛直面からその下部を前方に倒して傾斜させることができるようになっている。図３に示すように操作表示部５０の下部を前方に突出させるように当該操作表示部５０を鉛直面から傾斜させることによって、使用者は操作表示部５０に表示される画面を見やすくなる。また、操作表示部５０の近傍には、それぞれＬＥＤ等からなる電源ランプ５２および未返却ランプ５４が設けられている。電源ランプ５２は、使用者によって鍵保管装置１０の電源スイッチがオンとなったときに青色点灯するようになっている。また、未返却ランプ５４は、ホルダー保管部３０において各ホルダー保持プレート３６の挿入穴３７に挿入されていないホルダー３２が１本でも存在するときに黄色点灯するようになっている。このことにより、使用者は未返却ランプ５４を見ることによって一目でホルダー３２の使用状況を確認することができることになる。また、図３に示すように、これらの電源ランプ５２や未返却ランプ５４も操作表示部５０と一体的に移動させることができるようになっている。
【００３３】
また、本実施の形態による鍵保管装置１０では、前面扉２０は、筐体１２から開かれるときにその形状が変化するような構造となっている。具体的には、前面扉２０は筐体１２の幅方向に折り畳むことができるようになっている。また、折り畳まれた前面扉２０を筐体１２の側方に退避させることができるようになっている。このような前面扉２０の構成の詳細について以下に述べる。
【００３４】
図１等に示すように、前面扉２０は、左右に並ぶよう配置される第１扉部分２２および第２扉部分２４を有しており、これらの第１扉部分２２および第２扉部分２４の間にはヒンジ部材２６（図６参照）が設けられている。そして、ヒンジ部材２６により前面扉２０は略中央位置で折り畳まれるようになっている。また、第２扉部分２４の左側縁には、当該第２扉部分２４を回転自在に筐体１２の取り付けるための取付部材２８が設けられている。取付部材２８としては、例えば筐体１２の高さ方向に延びる棒状の軸部材が用いられるようになっている。
【００３５】
また、本実施の形態では、図４乃至図６に示すように前面扉２０を開いたときに、第１扉部分２２および第２扉部分２４が折り畳まれて筐体１２の側方に退避した前面扉２０を筐体１２の側面に固定するために例えば磁石２９が筐体１２の側面近傍に設けられている（図６参照）。また、前面扉２０は、磁石２９に引き寄せられる金属（言い換えると、磁石２９にくっつく金属）から形成されている。このような磁石２９が筐体１２の側面近傍に設けられていることにより、前面扉２０を開いて筐体１２の側方に退避させた後にこの前面扉２０が誤って筐体１２の前面開口を閉じてしまうことを防止することができるようになる。なお、このような磁石２９は、筐体１２の側面近傍に設けられる代わりに前面扉２０の第２扉部分２４に設けられ、筐体１２の側面は、このような磁石２９に引き寄せられる金属から形成されるようになっていてもよい。
【００３６】
また、本実施の形態では、第１扉部分２２および第２扉部分２４の材料を、それぞれ透明または半透明の材料とすることができる。この場合には、使用者は、ホルダー保管部３０による各ホルダー３２の保管状況を一目で把握することができるようになる。また、第１扉部分２２および第２扉部分２４の材料を、それぞれ不透明の材料としてもよい。この場合には、前面扉２０を閉じたときにはホルダー保管部３０による各ホルダー３２の保管状況を見ることができなくなるため、各ホルダー３２の保管状況に関する機密性を向上させることができるようになる。
【００３７】
また、本実施の形態による鍵保管装置１０では、前面扉２０を施錠するための扉施錠部１００が筐体１２の内部に設けられている（図１２参照、図１乃至図９等では図示せず）。また、扉施錠部１００により前面扉２０が施錠状態から解錠されると当該前面扉２０は筐体１２の前方に向かって飛び出すようになっている。
【００３８】
また、本実施の形態による鍵保管装置１０では、ホルダー３２のリング３２ｃに掛けられた鍵を交換するための鍵交換部（図示せず）が筐体１２の内部に設けられている。このような鍵交換部にホルダー３２を差し込むと、固有本体部分３２ａからリング支持部分３２ｂを取り外すことができるようになる。そして、リング支持部分３２ｂが固有本体部分３２ａから取り外されるとリング３２ｃを当該リング支持部分３２ｂから取り外すことができるようになり、このリング３２ｃは開くようになる。このことにより、使用者はリング３２ｃに掛けられた鍵を取り外したり当該リング３２ｃに新たな鍵を取り付けたりすることができるようになる。
【００３９】
次に、本実施の形態による鍵保管装置１０における制御系の構成について図１２に示す機能ブロック図を用いて説明する。図１２に示すように、鍵保管装置１０には、当該鍵保管装置１０の各構成部材の制御を行うための制御部９０が設けられている。ここで、制御部９０には扉施錠部１００、ホルダー保管部３０（具体的には、各ホルダー３２の施錠および解錠を行う錠機構３４）、ホルダーランプ４０、操作表示部５０、電源ランプ５２、未返却ランプ５４、カードリーダ５６、プリンタ５８がそれぞれ接続されている。ここで、カードリーダ５６により読み取られたＩＤカードの情報や操作表示部５０によって使用者により入力された指令等が制御部９０に送られるようになっている。また、制御部９０は鍵保管装置１０の各構成部材に指令を送ることにより当該構成部材の制御を行うようになっている。また、図１２に示すように、制御部９０には記憶部９２および音声部９４がそれぞれ接続されている。記憶部９２には、鍵保管装置１０の設定内容や、ホルダー保管部３０による各ホルダー３２の保管状況等が記憶されるようになっている。また、記憶部９２には、各々の使用者ＩＤに対応する、ホルダー保持プレート３６の各挿入穴３７から取り出し可能なホルダー３２の種類に係る情報が記憶されるようになっている。また、音声部９４は、使用者に対して音声により様々なガイダンスを行うことができるようになっている。
【００４０】
また、本実施の形態による鍵保管装置１０では、図１２に示すように、制御部９０には、鍵保管装置１０とは別に設けられた外部装置（例えば、上位端末）に対して無線または有線により信号の送受信を行う通信インターフェース部９８が接続されている。このような通信インターフェース部９８により、鍵保管装置１０は外部装置から様々な指令に係る信号を受信したり、当該鍵保管装置１０におけるホルダー３２の管理状況等の様々な情報に係る信号を外部装置に送信したりすることができるようになる。
【００４１】
また、本実施の形態による鍵保管装置１０では、筐体１２の前面にカメラ（図示せず）が設けられており、鍵保管装置１０の操作を行う使用者が当該カメラにより撮像されるようになっている。この場合には、カメラにより撮像された使用者の画像（具体的には、使用者の顔の画像）に基づいて当該使用者の認証を行うことができるようになる。また、ホルダー保管部３０におけるホルダー３２の取り出し動作や戻し動作に関する情報と使用者の画像とを紐付けて記憶部９２に記憶させることができるようになる。
【００４２】
また、本実施の形態による鍵保管装置１０では、硬貨や紙幣等の収納を行う収納庫が例えばホルダー保管部３０の下方に設置されていてもよい。この場合には、破損した紙幣等を収納庫に収納させることができるようになる。また、鍵保管装置１０の外部と情報の送受信を行うために、ＵＳＢメモリを差し込むことができるＵＳＢポートやＬＡＮケーブルを差し込むことができるＬＡＮポート等が筐体１２に設けられていてもよい。
【００４３】
また、本実施の形態による鍵保管装置１０では、前面扉２０の内面に、使用者に注意を促すメッセージ等が記載された表示部が設けられていてもよい。この場合には、使用者は前面扉２０を開いた後、ホルダー保管部３０からホルダー３２を取り出したり当該ホルダー保管部３０にホルダー３２を戻したりする際に、前面扉２０の内面に設けられた表示部に表示されるメッセージを確認することができるようになる。
【００４４】
次に、このような鍵保管装置１０の動作（具体的には、鍵保管装置１０のホルダー保管部３０からホルダー３２を取り出す動作やホルダー３２をホルダー保管部３０に戻す動作）について説明する。なお、以下に示すような鍵保管装置１０の動作は制御部９０が当該鍵保管装置１０の各構成部材を制御することにより行われるようになっている。
【００４５】
鍵保管装置１０の使用者がホルダー保管部３０からホルダー３２を取り出す場合には、この使用者はまず自己が所持するＩＤカードをカードリーダ５６により読み取らせる。ＩＤカードがカードリーダ５６により読み取られ、このカードリーダ５６により取得された使用者ＩＤが記憶部９２に予め登録された所定のＩＤであり使用者の認証が適切に行われた場合には、制御部９０は扉施錠部１００に対して前面扉２０の解錠指令を送る。なお、使用者はＩＤカードをカードリーダ５６により読み取らせる代わりに、操作表示部５０により所定の暗証番号を入力することにより当該使用者の認証が行われ、扉施錠部１００に対して制御部９０により前面扉２０の解錠指令が送られるようになっていてもよい。前面扉２０の解錠指令が扉施錠部１００に送られると、当該扉施錠部１００により前面扉２０が施錠状態から解錠され、前面扉２０の第１扉部分２２が筐体１２の前方に向かって飛び出すようになる。前面扉２０の第１扉部分２２が筐体１２の前方に向かって飛び出した後、使用者は第１扉部分２２および第２扉部分２４を筐体１２の側方に退避させることにより筐体１２の前面開口が開かれるようになり、当該使用者は筐体１２の内部にあるホルダー保管部３０にアクセスすることができるようになる。
【００４６】
また、制御部９０は、カードリーダ５６等により取得された使用者ＩＤに基づいて、この使用者ＩＤに対応するホルダー３２を取り出し可能とするよう錠機構３４によるホルダー３２の施錠状態を解除させる。また、制御部９０は、取り出し可能となっているホルダー３２が挿入された挿入穴３７に対応するホルダーランプ４０を所定の色で点滅させる。このようにして、使用者は、ホルダー保管部３０から取り出したいホルダー３２をホルダー保持プレート３６の挿入穴３７から取り出すことができるようになる。ホルダー３２がホルダー保持プレート３６の挿入穴３７から取り出されると、この挿入穴３７に対応するホルダーランプ４０が所定の色での点滅から当該色での点灯に変化する。また、未返却ランプ５４が黄色点灯するようになる。その後、使用者は前面扉２０を閉じることにより一連のホルダー３２の取り出し動作が完了する。
【００４７】
次に、鍵保管装置１０の使用者がホルダー３２をホルダー保管部３０に戻す動作について説明する。使用者がホルダー３２をホルダー保管部３０に戻す場合にも、この使用者はまず自己が所持するＩＤカードをカードリーダ５６により読み取らせる。ＩＤカードがカードリーダ５６により読み取られ、このカードリーダ５６により取得された使用者ＩＤが記憶部９２に予め登録された所定のＩＤであり使用者の認証が適切に行われた場合には、制御部９０は扉施錠部１００に対して前面扉２０の解錠指令を送る。なお、使用者はＩＤカードをカードリーダ５６により読み取らせる代わりに、操作表示部５０により所定の暗証番号を入力することにより当該使用者の認証が行われ、扉施錠部１００に対して制御部９０により前面扉２０の解錠指令が送られるようになっていてもよい。前面扉２０の解錠指令が扉施錠部１００に送られると、当該扉施錠部１００により前面扉２０が施錠状態から解錠され、前面扉２０の第１扉部分２２が筐体１２の前方に向かって飛び出すようになる。前面扉２０の第１扉部分２２が筐体１２の前方に向かって飛び出した後、使用者は第１扉部分２２および第２扉部分２４を筐体１２の側方に退避させることにより筐体１２の前面開口が開かれるようになり、当該使用者は筐体１２の内部にあるホルダー保管部３０にアクセスすることができるようになる。
【００４８】
そして、使用者はホルダー３２をホルダー保持プレート３６における元の挿入穴３７に挿入する。この際に、上述したように、ホルダー保持プレート３６におけるホルダー３２が取り出されている挿入穴３７に対応するホルダーランプ４０は所定の色で点灯しているため、使用者は、点灯しているホルダーランプ４０に対応する挿入穴３７からホルダー３２を戻すべき挿入穴３７を探すことができる。使用者が元の挿入穴３７にホルダー３２を戻すと、ホルダーランプ４０が消灯する。その後、使用者が前面扉２０を閉じることによりホルダー３２をホルダー保管部３０に戻す動作が完了する。また、上述したように、ホルダー３２の固有本体部分３２ａの端面には、当該ホルダー３２の固有の特性として各孔３２ｅが設けられており、また、ホルダー保管部３０において各ホルダー保持プレート３６の背面側には、これらの各孔３２ｅに対応する複数の突起３５ａが形成された平板状の誤挿入防止部３５が設けられている。このことにより、錠機構３４と対応しないホルダー３２が誤って挿入穴３７に挿入された場合には、このホルダー３２に設けられた各孔３２ｅと当該挿入穴３７の背面側に位置する誤挿入防止部３５の各突起３５ａとが一致しないためホルダー３２を挿入穴３７の奥まで押しこむことができず、よって錠機構３４により当該ホルダー３２を施錠することができないようになる。なお、使用者が誤った挿入穴３７にホルダー３２を戻した場合に、操作表示部５０に警告メッセージが表示されたり音声部９４により警告音が発せられたりするようになっていてもよい。このことにより、使用者は誤った挿入穴３７にホルダー３２を戻してしまったことに気づくことができるようになる。
【００４９】
また、本実施の形態による鍵保管装置１０では、前面扉２０を一定時間以上開いた状態とした場合に、操作表示部５０に警告メッセージが表示されたり音声部９４により警告音が発せられたりするようになる。このことにより、使用者がホルダー保管部３０からホルダー３２を取り出したりホルダー３２をホルダー保管部３０に戻したりした後に前面扉２０を閉め忘れてしまった場合でも、表示や音声により警告が行われるため、使用者は前面扉２０を閉め忘れてしまったことに気づくようになる。また、前面扉２０を一定時間以上開いた状態とした場合に、各錠機構３４により全てのホルダー３２の施錠が行われるようになっていてもよい。この場合には、使用者がホルダー保管部３０からホルダー３２を取り出したりホルダー３２をホルダー保管部３０に戻したりした後に前面扉２０を閉め忘れてしまった場合でも、第三者によりホルダー保管部３０からホルダー３２が取り出されてしまうことを防止することができるようになる。
【００５０】
また、本実施の形態による鍵保管装置１０では、前面扉２０を開けたままの運用を行うことができるようになっていてもよい。このような前面扉２０を開けたままの運用を行うことができる鍵保管装置１０について以下に説明する。
【００５１】
鍵保管装置１０において前面扉２０を開けたままの運用が行われる場合には、前面扉２０を一定時間以上開いた状態としても操作表示部５０に警告メッセージが表示されたり音声部９４により警告音が発せられたりすることはない。また、鍵保管装置１０において前面扉２０を開けたままの運用が行われる場合には、前面扉２０を閉める際に使用者はＩＤカードをカードリーダ５６により読み取らせて使用者の認証を行うようになり、使用者の認証が適切に行われた場合には前面扉２０を閉めることができるようになる。一方、使用者の認証が適切に行われなかった場合には、前面扉２０を閉めても扉施錠部１００により前面扉２０が施錠されず、当該前面扉２０は筐体１２の前面から前方に飛び出した状態となる。このことにより、第三者が誤って前面扉２０を閉めたり、何かの間違いで前面扉２０が誤って閉まったりすることを防止することができるようになる。
【００５２】
また、鍵保管装置１０において前面扉２０を開けたままの運用が行われる場合には、ホルダー保管部３０において各錠機構３４によるホルダー３２の施錠状態が解除されてから当該錠機構３４によりホルダー３２が再施錠されるまでの時間を設定することができるようになっている。前面扉２０を開けたままの運用が行われる場合には、使用者がホルダー３２をホルダー保管部３０から取り出した後に他のホルダー３２の解錠状態が長い間続いていると、第三者がホルダー保管部３０からホルダー３２を取り出してしまうおそれがあるが、錠機構３４によりホルダー３２が再施錠されるまでの時間を設定することにより、このようなトラブルを防止することができるようになる。
【００５３】
本実施の形態では、ホルダー３２は、固有本体部分３２ａと共通部分（具体的には、リング支持部分３２ｂおよびリング３２ｃ）とにより構成され、少なくとも１つのホルダー３２の固有本体部分３２ａが、他の少なくとも１つのホルダー３２の固有本体部分３２ａと色分けされていることにより、少なくとも１つのホルダー３２が、他の少なくとも１つのホルダー３２と色分けされている。このような態様について図１０を用いて説明する。
【００５４】
図７、図８および図１０に示すように、各ホルダー３２の固有本体部分３２ａには、様々な色のシールが巻かれるようになっている。具体的には、例えば図１０（ａ）に示すホルダー３２の固有本体部分３２ａには赤色のシールが巻かれ、図１０（ｂ）に示すホルダー３２の固有本体部分３２ａには青色のシールが巻かれ、図１０（ｃ）に示すホルダー３２の固有本体部分３２ａには黄色のシールが巻かれるようになっている。このような各色のシールが固有本体部分３２ａが巻かれたホルダー３２がホルダー保管部３０の各挿入穴３７に挿入された場合には、鍵保管装置１０において前面扉２０を開いたときの見栄えを良くすることができるようになる。また、各ホルダー３２の固有本体部分３２ａに巻かれるシールの色分けは、各ホルダー３２のリング３２ｃに取り付けられた鍵の使用対象や使用場所、当該鍵の使用可能者、あるいは当該鍵に関連するセキュリティレベル毎に行われるようになっている。例えば、本実施の形態による鍵保管装置１０により保管される鍵の使用者として、２人の管理者（管理者１および管理者２）および一般の使用者がいる場合には、管理者１のみが使用可能な鍵が取り付けられるホルダー３２の固有本体部分３２ａに巻かれるシールを赤色とし、管理者１および管理者２が使用可能な鍵が取り付けられるホルダー３２の固有本体部分３２ａに巻かれるシールを青色とし、管理者１、管理者２および一般の使用者が使用可能な鍵が取り付けられるホルダー３２の固有本体部分３２ａに巻かれるシールを黄色とすることができる。このように、鍵の使用者に応じて当該鍵が取り付けられるホルダー３２の固有本体部分３２ａに巻かれるシールの色分けを行うことにより、鍵保管装置１０の使用者は前面扉２０を開いたときにどのホルダー３２を挿入穴３７から抜き取って使用することができるかを一目で判断することができるようになる。なお、着色部分の形態としては、ホルダー３２または固有本体部分３２ａの一部のみを着色してもよく、色によってホルダー３２を区別できる態様であればよい。また、着色の方法も、ホルダーの表面に塗装を施してもよく、ホルダー３２が樹脂により形成される場合は、樹脂材料への塗料混入により着色するなど、様々な着色方法を採用することができる。
【００５５】
なお、本実施の形態では、少なくとも１つのホルダー３２の固有本体部分３２ａが、他の少なくとも１つのホルダー３２の固有本体部分３２ａと色分けされるような態様に限定されることはない。他の態様として、少なくとも１つのホルダー３２の共通部分（具体的には、リング支持部分３２ｂおよびリング３２ｃのうち少なくとも一部）が、他の少なくとも１つのホルダー３２の共通部分と色分けされるようになっていてもよい。このような態様について図１１を用いて説明する。
【００５６】
図１１に示すように、各ホルダー３２のリング支持部分３２ｂおよびリング３２ｃは、塗装や成型樹脂材料への塗料混入により様々な色で形成されている。具体的には、例えば図１１（ａ）に示すホルダー３２のリング支持部分３２ｂおよびリング３２ｃは赤色に形成され、図１１（ｂ）に示すホルダー３２のリング支持部分３２ｂおよびリング３２ｃは青色に形成され、図１１（ｃ）に示すホルダー３２のリング支持部分３２ｂおよびリング３２ｃは黄色に形成されている。このように各ホルダー３２のリング支持部分３２ｂおよびリング３２ｃが様々な色で形成されており、各ホルダー３２の色分けが行われている場合には、鍵保管装置１０において前面扉２０を開いたときの見栄えを良くすることができるようになる。また、各ホルダー３２のリング支持部分３２ｂおよびリング３２ｃの色分けは、上記の各ホルダー３２の固有本体部分３２ａの色分けと同様に、各ホルダー３２のリング３２ｃに取り付けられた鍵の使用対象や使用場所、当該鍵の使用可能者、あるいは当該鍵に関連するセキュリティレベル毎に行われるようになっている。なお、各ホルダー３２において、リング支持部分３２ｂおよびリング３２ｃからなる共通部分の色分けを行った場合には、各ホルダー３２に取り付けられる鍵の使用可能者等の変更を行うことに伴う色分けの変更を容易に行うことができるという利点がある。すなわち、図１０に示すように各ホルダー３２の固有本体部分３２ａの色分けを行った場合には、この固有本体部分３２ａには各孔３２ｅ等の固有の特性が設けられており当該固有本体部分３２ａ自体が鍵の役目を果たすためホルダー保管部３０（具体的には、錠機構３４）との対応関係を簡単に変更することができないが、図１１に示すように各ホルダー３２のリング支持部分３２ｂおよびリング３２ｃの色分けを行った場合には、各ホルダー３２に取り付けられる鍵の使用可能者等の変更を行った場合でも、元の色のリング支持部分３２ｂを固有本体部分３２ａから取り外し、変更後の鍵の使用可能者等に対応する色が付けられたリング支持部分３２ｂやリング３２ｃを固有本体部分３２ａに取り付けることにより、各ホルダー３２における色分けの変更を行うことができるようになる。
【００５７】
また、少なくとも１つのホルダー３２の共通部分が、他の少なくとも１つのホルダー３２の共通部分と色分けされる場合に、リング支持部分３２ｂおよびリング３２ｃの両方が各色に塗装等される必要はない。他の例として、ホルダー３２の共通部分におけるリング支持部分３２ｂおよびリング３２ｃのうちいずれか一方のみが各色で形成されるようになっていてもよい。
【００５８】
また、本実施の形態では、各ホルダーランプ４０により表示される色が、当該ホルダーランプ４０に対応する錠機構３４により施錠されるホルダー３２の色（具体的には、固有本体部分３２ａに巻かれたシールの色やリング支持部分３２ｂやリング３２ｃの色）に関連する色となっていてもよい。具体的には、図１３に示すように、ホルダー保管部３０における上段の各錠機構３４により施錠されるホルダー３２の色が赤色である場合には、この錠機構３４に対応するホルダーランプ４０により表示される色が赤色となり、ホルダー保管部３０における中断の錠機構３４により施錠されるホルダー３２の色が青色である場合には、この錠機構３４に対応するホルダーランプ４０により表示される色が青色となり、ホルダー保管部３０における下段の錠機構３４により施錠されるホルダー３２の色が黄色である場合には、錠機構３４に対応するホルダーランプ４０により表示される色が黄色となる。このように、各ホルダーランプ４０により表示される色が、当該ホルダーランプ４０に対応する錠機構３４により施錠されるホルダー３２の色に関連する色となっている場合には、鍵保管装置１０の使用者は前面扉２０を開いたときにどのホルダー３２を挿入穴３７から抜き取って使用することができるか、およびホルダー３２を返却する際にどの挿入穴３７にホルダー３２を戻すかを一目で判断することができるようになる。なお、関連する色の一つの具体例は同色であるが、これに限るものではない。例えば、関連する色は、彩度の異なる同じ色相の色としてもよく、互いに関連を連想できる色であればよい。
【００５９】
なお、本実施の形態では、ホルダー保管部３０において各ホルダー３２が施錠される錠機構３４の近傍に設けられる表示部はＬＥＤ等のホルダーランプ４０に限定されることはない。別の例では、ホルダー保管部３０において各ホルダー３２が施錠される錠機構３４の近傍に設けられる表示部として、各錠機構３４に対応するようホルダー保持プレート３６における各挿入穴３７の近傍にそれぞれシールが貼られており、当該シールの色が、このシールに対応する錠機構３４で施錠されるホルダー３２の色に関連する色となっていてもよい。また、更に別の例では、ホルダー保持プレート３６における各挿入穴３７の内周面の色やこの挿入穴３７の周縁部の色が、当該挿入穴３７に対応する錠機構３４で施錠されるホルダー３２の色に関連する色となっていてもよい。この場合でも、鍵保管装置１０の使用者は前面扉２０を開いたときにどのホルダー３２を挿入穴３７から抜き取って使用することができるか、およびホルダー３２を返却する際にどの挿入穴３７にホルダー３２を戻すかを一目で判断することができるようになる。
【００６０】
また、本実施の形態では、図１等に示す鍵保管装置において、使用者毎に錠機構３４の操作権限を設定する際に、操作表示部５０に表示される各錠機構３４に対応する表示部分の色は当該錠機構３４により施錠されるホルダー３２の色に関連する色となっていてもよい。このような態様について図１４および図１５を用いて説明する。
【００６１】
図１４は、図１等に示す鍵保管装置１０において、使用者別の色指定を行う際に操作表示部５０に表示される設定画面を示す図である。図１４に示すように、本実施の形態では、操作表示部５０により使用者別の色指定を行うことができるようになっている。図１４に示す操作表示部５０の設定画面では、管理者１に対応する表示色として赤色が指定され、管理者２に対応する表示色として青色が指定され、一般の使用者に対応する表示色として黄色が指定されている。
【００６２】
図１５（ａ）〜（ｃ）は、図１等に示す鍵保管装置１０において使用者毎に錠機構３４の操作権限を設定する際に操作表示部５０に表示される設定画面を順に示す図である。使用者毎に錠機構３４の操作権限を操作表示部５０により設定するにあたり、図１５（ａ）に示されるようなメインメニューにおいて「２．登録」の項目を選択すると、操作表示部５０には図１５（ｂ）に示すような使用者登録メニューが表示されるようになり、このような使用者登録メニューにおいて、管理者１、管理者２および一般の使用者の各々について錠機構３４の操作権限を設定することができるようになる。そして、図１５（ｂ）に示すような使用者登録メニューにおいて例えば「１．管理者１登録」の項目を選択すると、操作表示部５０には図１５（ｃ）に示すような管理者１に関する錠機構３４の操作権限の設定画面が表示されるようになる。ここで、図１５（ｃ）に示すような設定画面において、１番〜３０番の錠機構３４の各々に対応するアイコン（すなわち、図１５（ｃ）において１番〜３０番が付けられた四角の領域で、各錠機構３４に対応する表示部分）が表示されるようになり、このアイコンを押下することにより、当該アイコンに対応する錠機構３４について管理者１が操作権限を有するか否かを設定することができるようになる。具体的には、操作表示部５０に表示されるアイコンが使用者により押下される度に、当該アイコンに対応する錠機構３４について管理者１による操作権限の有無が切り替えられるようになる。なお、図１５（ｃ）に示すような設定画面において、「全選択」のボタンを押下すると、全ての錠機構３４について管理者１に操作権限を与えることができるようになり、一方、図１５（ｃ）に示すような設定画面において、「全解除」のボタンを押下すると、全ての錠機構３４について管理者１に与えられている操作権限が解除されるようになる。また、図１５（ｃ）に示すような設定画面において、「範囲」のボタンを押下すると、複数の錠機構３４に対するアイコンの範囲を指定することができるようになり、このような範囲が指定された複数のアイコンに対応する各錠機構３４について管理者１による操作権限の有無が一度に切り替えられるようになる。
【００６３】
また、図１５（ｃ）に示すように、使用者別の錠機構３４の操作権限の設定画面において、操作表示部５０に表示されるアイコンの色は、当該アイコンに対応する錠機構３４の操作権限が与えられた使用者に割り当てられた色に関連する色となっている。具体的には、図１４の設定画面で示すような使用者別の色指定が行われている場合に、図１５（ｃ）に示す使用者別の錠機構３４の操作権限の設定画面において赤色で表示されるアイコン（具体的には、番号１〜番号５のアイコン）に対応する錠機構３４は、管理者１のみが利用可能となっており、図１５（ｃ）に示す使用者別の錠機構３４の操作権限の設定画面において青色で表示されるアイコン（具体的には、番号６〜番号１０のアイコン）に対応する錠機構３４は、管理者１および管理者２が利用可能となっており、図１５（ｃ）に示す使用者別の錠機構３４の操作権限の設定画面において黄色で表示されるアイコン（具体的には、番号１１〜番号２５のアイコン）に対応する錠機構３４は、管理者１、管理者２および一般の使用者が利用可能となっている。なお、図１５（ｃ）に示す使用者別の錠機構３４の操作権限の設定画面において色表示されていないアイコン（具体的には、番号２６〜番号３０のアイコン）に対応する錠機構３４は、未だ使用者別の操作権限の設定が行われていないものである。図１５（ｃ）に示すように、使用者別の錠機構３４の操作権限の設定画面において、操作表示部５０に表示される各錠機構３４に対応するアイコンの色分けが行われていることにより、使用者別に錠機構３４の操作権限を設定する際に各錠機構３４の操作権限が一目で分かるようになり、よって各錠機構３４の操作権限の設定を行うメンテナンス員等にとっての利便性を向上させることができるようになる。
【００６４】
また、本実施の形態では、図１５（ｃ）に示すような使用者別の錠機構３４の操作権限の設定画面において、各錠機構３４に対応するアイコンは、ホルダー保管部３０における各錠機構３４の実際の配列に対応する位置に表示されるようになっていてもよい。すなわち、図６に示すような各錠機構３４の配列と同じ配列で、各錠機構３４に対応するアイコンが操作表示部５０に表示されるようになっていてもよい。
【００６５】
また、図１５（ｃ）に示すように、使用者別の錠機構３４の操作権限の設定画面において操作表示部５０に表示される各錠機構３４に対応するアイコンの色が、当該アイコンに対応する錠機構３４の操作権限が与えられた使用者に割り当てられた色に関連する色となっている場合に、各錠機構３４に対応するホルダーランプ４０は、操作表示部５０に表示されるこの錠機構３４に対応するアイコンの色に関連する色で発光するようになっていてもよい。具体的には、使用者別の錠機構３４の操作権限の設定内容が図１５（ｃ）に示すようなものとなっている場合には、１番目〜５番目の錠機構３４に対応するホルダーランプ４０は赤色で発光し、６番目〜１０番目の錠機構３４に対応するホルダーランプ４０は青色で発光し、１１番目〜２５番目の錠機構３４に対応するホルダーランプ４０は黄色で発光するようになっていてもよい。
【００６６】
このように、本実施の形態では、操作表示部５０は、各錠機構３４の属性を設定するための属性設定部として機能するようになっており、この操作表示部５０に表示される各錠機構３４に対応するアイコンの色は、属性設定部により設定された、当該アイコンに対応する錠機構３４の属性に関連付けられた色となっている。また、各錠機構３４に対応するホルダーランプ４０は、当該錠機構３４の属性に関連付けられた色で発光するようになっている。ここで、属性設定部としての操作表示部５０により設定される各錠機構３４の属性は、上記の例では各錠機構３４により施錠されるホルダー３２に取り付けられた鍵の使用可能者である。なお、属性設定部としての操作表示部５０により設定される各錠機構３４の属性は鍵の使用可能者に限定されることはない。各錠機構３４の属性の他の例として、ホルダー３２に取り付けられた鍵の使用対象、使用場所およびセキュリティレベルのうち少なくとも一つのものが用いられてもよい。また、属性設定部としての操作表示部５０は、各錠機構３４の属性の代わりに各錠機構３４により施錠されるホルダー３２の属性を設定するようになっていてもよい。この場合には、使用者別の錠機構３４の操作権限を設定する際に操作表示部５０に表示される各錠機構３４に対応するアイコンの色は、属性設定部により設定された、当該アイコンに対応する錠機構３４により施錠されるホルダー３２の属性に関連付けられた色となる。また、各錠機構３４に対応するホルダーランプ４０は、当該錠機構３４により施錠されるホルダー３２の属性に関連付けられた色で発光するようになる。
【００６７】
また、図１０や図１１に示すように各ホルダー３２の固有本体部分３２ａや共通部分の色分けを行うにあたり、属性設定部としての操作表示部５０により設定された錠機構３４やホルダー３２の属性（具体的には、ホルダー３２に取り付けられた鍵の使用対象、使用場所、使用可能者およびセキュリティレベルのうち少なくとも一つのもの）に関連付けて各ホルダー３２の色分けを行った場合には、図１５（ｃ）に示すような使用者別の錠機構３４の操作権限の設定画面において操作表示部５０に表示される各錠機構３４に対応するアイコンの色が、錠機構３４で施錠されるホルダー３２の色に関連付けられるようになる。この場合には、ある錠機構３４やホルダー３２の属性を変更したときに、操作表示部５０に表示される当該錠機構３４に対応するアイコンの色が変わることにより、メンテナンス員等はこの錠機構３４により施錠されるホルダー３２の色を変えなければならないことに気づくことができるようになる。
【００６８】
以上のような構成からなる本実施の形態の鍵保管装置１０は、鍵がそれぞれ取り付けられた複数のホルダー３２（鍵管理部材）と、各ホルダー３２を保管するためのホルダー保管部３０とを備えており、ホルダー保管部３０は、各ホルダー３２を施錠する錠機構３４を有している。また、少なくとも１つのホルダー３２が、他の少なくとも１つのホルダー３２と色分けされている。このように、少なくとも１つのホルダー３２を、他の少なくとも１つのホルダー３２と色分けすることにより、各ホルダー３２を見た目で例えば使用用途毎や使用者毎に区別しやすくなり、また、前面扉２０を開いたときの見栄えを良くすることができるようになる。
【００６９】
また、本実施の形態の鍵保管装置１０においては、上述したように、各ホルダー３２は、当該ホルダー３２が施錠される錠機構３４に対応する固有の特性を有する固有本体部分３２ａと、固有本体部分３２ａに着脱可能となっており各ホルダー３２で共通の形状とされる共通部分とを有しており、少なくとも１つのホルダー３２の共通部分が、他の少なくとも１つのホルダー３２の共通部分と色分けされていてもよい。このように、各ホルダー３２において共通部分の色分けを行った場合には、各ホルダー３２に取り付けられる鍵の使用可能者等の変更を行うことに伴う色分けの変更を容易に行うことができるという利点がある。すなわち、各ホルダー３２の共通部分の色分けを行った場合には、各ホルダー３２に取り付けられる鍵の使用可能者等の変更を行った場合でも、元の色の共通部分を固有本体部分３２ａから取り外した後、変更後の鍵の使用可能者等に対応する色が付けられた共通部分を固有本体部分３２ａに取り付けることにより、各ホルダー３２における色分けの変更を行うことができるようになる。ここで、各ホルダー３２の共通部分は、鍵が取り付けられるリング３２ｃと、このリング３２ｃを着脱自在に支持するリング支持部分３２ｂとを有しており、少なくとも１つのホルダー３２におけるリング支持部分３２ｂおよびリング３２ｃのうち少なくとも一部が、他の少なくとも１つのホルダー３２におけるリング支持部分３２ｂおよびリング３２ｃのうち少なくとも一部と色分けされている。
【００７０】
また、本実施の形態の鍵保管装置１０においては、上述したように、ホルダー保管部３０において各ホルダー３２が施錠される錠機構３４の近傍には表示部が設けられており、各表示部の色は当該表示部に対応する錠機構３４で施錠されるホルダー３２の色に関連する色となっていてもよい。この場合には、鍵の使用者は鍵保管装置１０の前面扉２０を開いたときに各錠機構３４に対応する表示部を見ることによってどのホルダー３２を挿入穴３７から抜き取って使用することができるか（すなわち、どのホルダー３２について操作権限を有するか）およびホルダー３２を返却する際にどの挿入穴３７にホルダー３２を戻すかを一目で判断することができるようになる。ここで、各表示部は、複数の色で発光可能な発光部（具体的には、ホルダーランプ４０）であってもよく、あるいは、各表示部として、ホルダーランプ４０等の発光部以外の構成のものが用いられてもよい。
【００７１】
また、本実施の形態の鍵保管装置１０においては、上述したように、錠機構３４の設定情報を表示するための設定情報表示部として操作表示部５０が設けられており、この操作表示部５０に表示される、設定情報を錠機構３４毎に示す表示部分（すなわち、図１５（ｃ）に示すアイコン）の色は、当該表示部分に対応する錠機構３４で施錠されるホルダー３２の色に関連する色となっていてもよい。この場合には、ある錠機構３４の設定情報を変更したときに、操作表示部５０に表示される当該錠機構３４に対応するアイコンの色が変わることにより、メンテナンス員等はこの錠機構３４により施錠されるホルダー３２の色を変えなければならないことに気づくことができるようになる。また、上述したように、設定情報表示部としての操作表示部５０において、各表示部分（すなわち、各アイコン）は、ホルダー保管部３０における各錠機構３４の配列に対応する位置に表示されるようになっていてもよい。
【００７２】
また、本実施の形態の鍵保管装置１０においては、上述したように、操作表示部５０は、各錠機構３４の属性または各錠機構３４により施錠されるホルダー３２の属性を設定するための属性設定部として機能するようになっており、ホルダーランプ４０等の発光部は、属性設定部としての操作表示部５０により設定された、当該発光部に対応する錠機構３４の属性または当該発光部に対応する錠機構３４により施錠されるホルダー３２の属性に関連付けられた色で発光するようになっていてもよい。また、設定情報表示部としての操作表示部５０に表示される各表示部分（すなわち、各アイコン）の色は、属性設定部としての操作表示部５０により設定された、当該表示部分に対応する錠機構３４の属性または当該表示部分に対応する錠機構３４により施錠されるホルダー３２の属性に関連付けられた色となっていてもよい。この場合には、錠機構３４の操作権限の設定画面において、操作表示部５０に表示される各錠機構３４に対応する表示部分（すなわち、アイコン）の色分けが行われていることにより、錠機構３４の操作権限を設定する際に各錠機構３４の操作権限が一目で分かるようになり、よって各錠機構３４の操作権限の設定を行うメンテナンス員等にとっての利便性を向上させることができるようになる。ここで、各錠機構３４の属性または各錠機構３４により施錠されるホルダー３２の属性は、当該ホルダー３２に取り付けられた鍵の使用対象、使用場所、使用可能者およびセキュリティレベルのうち少なくとも一つのものであってもよい。
【００７３】
なお、本実施の形態による鍵保管装置１０は、上述したような態様に限定されることはなく、様々な変更を加えることができる。
【００７４】
例えば、本実施の形態による鍵保管装置１０において鍵がそれぞれ取り付けられた複数のホルダー３２（鍵管理部材）の色分けを行う方法は図１０や図１１に示すような上記の方法に限定されることはない。少なくとも１つのホルダー３２が他の少なくとも１つのホルダー３２と色分けされるようにすることができるのであれば、図１０や図１１に示すような上記の方法以外の各ホルダー３２の色分け方法が用いられてもよい。
【００７５】
また、本実施の形態による鍵保管装置１０において、鍵が取り付けられるホルダー（鍵管理部材）の構成は図８等に示すような固有本体部分３２ａと共通部分（具体的には、リング３２ｃおよびこのリング３２ｃを着脱自在に支持するリング支持部分３２ｂ）とを有するものに限定されることはない。鍵が取り付けられるホルダーとして、固有本体部分のみからなるものが用いられてもよい。この場合に、少なくとも１つのホルダーの固有本体部分が、他の少なくとも１つのホルダーの固有本体部分と色分けされるようになっていることが望ましく、このことにより各ホルダーを見た目で例えば使用用途毎に区別しやすくなり、また、鍵保管装置の前面扉を開いたときの見栄えを良くすることができるようになる。また、別の例として、鍵が取り付けられるホルダーとして、共通部分のみからなるものが用いられてもよい。この場合でも、少なくとも１つのホルダーの共通部分が、他の少なくとも１つのホルダーの共通部分と色分けされるようになっていることが望ましく、このことにより各ホルダーを見た目で例えば使用用途毎や使用者毎に区別しやすくなり、また、鍵保管装置の前面扉を開いたときの見栄えを良くすることができるようになる。
【００７６】
また、別の変形例に係る鍵保管装置として、図１６乃至図１８に示すようなホルダーを有するものが用いられてもよい。ここで、図１６は、変形例に係る鍵保管装置における鍵が取り付けられたホルダーの構成を示す図である。また、図１７は、図１６に示す鍵およびホルダーについて、ホルダーをカバーの内部に収容させるとともに鍵をカバーの外部に露出させたときの状態を示す図であり、図１８は、図１６に示す鍵およびホルダーについて、鍵をカバーの内部に収容させるとともにホルダーをカバーの外部に露出させたときの状態を示す図である。
【００７７】
図１６に示すように、変形例に係る鍵保管装置では、環状のワイヤーリング６１により鍵６２がホルダー６０に取り付けられており、このホルダー６０が鍵保管装置のホルダー保管部により保管されるようになっている。また、変形例に係る鍵保管装置では、ホルダー６０および鍵６２をそれぞれ収容することができる大きさの透明または半透明のカバー６４が設けられており、このカバー６４は、対向する２つの端部（具体的には、図１６における左側の端部および右側の端部）がそれぞれ開口するようになっている。また、カバー６４の内部にはカバーインナー部材６６が収容可能となっており、ワイヤーリング６１は、このようなカバーインナー部材６６に設けられた２つの貫通穴にそれぞれ装着させることができるようになっている。また、カバー６４の一方の開口（具体的には、図１６における左側の開口）には蓋部６８が取り付け可能となっており、この蓋部６８は、カバーインナー部材６６をカバー６４の内部に収容した状態で当該カバー６４の開口に取り付けられるようになっている。また、蓋部６８には開口が形成されており、この蓋部６８の開口は、蓋部６８をカバー６４の一方の開口に取り付けた状態で、鍵６２は通過できるがカバーインナー部材６６は通過できない形状となっている。また、カバー６４の他方の開口（具体的には、図１６における右側の開口）は、ホルダー６０は通過できるがカバーインナー部材６６は通過できない形状となっている。なお、図１６は、蓋部６８をカバー６４の一方の開口に取り付ける前の状態を示している。
【００７８】
図１７および図１８に示すようなホルダー６０の作成方法について以下に説明する。まず、カバーインナー部材６６の各貫通穴にワイヤーリング６１を通した後、図示しないピンを各貫通穴に差し込み、ワイヤーリング６１がカバーインナー部材６６から抜けないようにする。次に、ホルダー６０をカバー６４の内部に収容し、さらにこのカバー６４の内部にカバーインナー部材６６を押し込んだ後、カバー６４の２つの端部の開口のうち一方の開口に蓋部６８を取り付ける。このようにして、図１７に示すように、鍵６２がカバー６４の外部に露出するとともにホルダー６０がカバー６４の内部に収容されるようなホルダー６０が作成されるようになる。ここで、カバーインナー部材６６は図１７におけるカバー６４の下側の端部に設けられた開口を通過できないので、ホルダー６０はカバー６４の内部に保持される。なお、図１６乃至図１８に示すような変形例の鍵保管装置では、カバー６４を、図１７に示すようなホルダー６０を覆う位置（すなわち、鍵６２を露出させる位置）と、図１８に示すような鍵６２を覆う位置（すなわち、ホルダー６０を露出させる位置）との間で相対移動させることができるようになっている。具体的には、カバー６４の内部でカバーインナー部材６６を当該カバー６４の一方の端部の開口の近傍位置から他方の端部の開口の近傍位置に移動させることにより（すなわち、図１７に示すような状態からカバー６４の内部でカバーインナー部材６６を上方向に移動させることにより）、図１７におけるカバー６４の下側の端部に設けられた開口から鍵６２が当該カバー６４の内部に入るとともに図１７におけるカバー６４の上側の端部に設けられた開口からホルダー６０が当該カバー６４の外部に出るようになる。一方、カバーインナー部材６６は図１７および図１８におけるカバー６４の上側の端部に設けられた開口を通過できないので、鍵６２はカバー６４の内部に保持される。ここで、鍵保管装置の使用者が鍵６２を実際に使用する場合には、図１７に示すようにホルダー６０をカバー６４の内部に収容させて鍵６２をカバー６４の外部に露出させるようにする。一方、鍵６２を鍵保管装置に保管させる場合には、当該鍵６２が取り付けられたホルダー６０をホルダー保管部の貫通穴に挿入して錠機構により施錠させる際に、図１８に示すように鍵６２をカバー６４の内部に収容させてホルダー６０をカバー６４の外部に露出させるようにする。このことにより、鍵保管装置の前面扉が開けられているときに、悪意ある第三者によって鍵６２に粘土等が押しつけられることによって当該鍵６２の合鍵が作られてしまうことを防止することができるようになる。
【００７９】
また、本実施の形態の鍵保管装置１０では、操作表示部５０の設置が省略され、上位端末等の外部装置から通信インターフェース部９８を介して制御部９０に指令が送られることにより当該鍵保管装置１０の各構成部材の制御が行われるようになっていてもよい。この場合には、各錠機構３４の属性または各錠機構３４により施錠されるホルダー３２の属性は、上位端末等の外部装置から通信インターフェース部９８を介して制御部９０に与えられる指令に基づいて当該制御部９０で設定されるようになっていてもよい。この際には、ホルダーランプ４０等の発光部は、上位端末等の外部装置から制御部９０に与えられた指令に基づいて設定される、当該発光部に対応する錠機構３４の属性または当該発光部に対応する錠機構３４により施錠されるホルダー３２の属性に関連付けられた色で発光するようになる。また、図１４や図１５に示すような設定画面に係る情報が制御部９０から通信インターフェース部９８を介して上位端末等の外部装置に送信されるようになっていてもよい。この場合には、このような外部装置に設けられたモニタ等に図１４や図１５に示すような設定画面を表示させることができるようになる。なお、このような外部装置として、パーソナルコンピュータや携帯端末を用いることができる。
【００８０】
また、別の変形例に係る鍵保管装置（図示せず）において、使用者の指紋等の生体情報を認証するための生体情報認証部（図示せず）が設けられていてもよい。このような生体情報認証部は例えば前面扉の右側に設置されており、使用者が例えば指を生体情報認証部にかざすことにより当該使用者の指紋に関する情報が生体情報認証部により取得されるようになる。このような生体情報認証部により取得された使用者の生体情報に基づいて、当該使用者の認証が適切に行われると、扉施錠部による前面扉の施錠状態が解除され、前面扉が筐体から前方に飛び出した状態となる。また、当該使用者の使用者ＩＤに関連付けられた操作権限の錠機構によるホルダーの施錠状態が解錠される。このことにより、使用者は前面扉を開いてホルダー保管部からホルダーを取り出すことができるようになる。
【００８１】
また、別の変形例に係る鍵保管装置（図示せず）では、使用者が所持する管理鍵が差し込まれる鍵穴が筐体や前面扉の前面に設けられていてもよい。このような鍵保管装置では、所定の管理鍵が鍵穴に差し込まれて当該管理鍵が回されると、扉施錠部による前面扉の施錠状態が解除され、前面扉が筐体から前方に飛び出した状態となる。このことにより、使用者は前面扉を開いてホルダー保管部からホルダーを取り出すことができるようになる。
【符号の説明】
【００８２】
１０    鍵保管装置
１２    筐体
１４    取っ手
２０    前面扉
２２    第１扉部分
２４    第２扉部分
２６    ヒンジ部材
２８    取付部材
２９    磁石
３０    ホルダー保管部（保管部）
３２    ホルダー（鍵管理部材）
３２ａ  固有本体部分
３２ｂ  リング支持部分（共通部分）
３２ｃ  リング（共通部分）
３２ｄ  解除口
３２ｅ  孔
３４    錠機構
３５    誤挿入防止部
３５ａ  突起
３６    ホルダー保持プレート
３７    挿入穴
４０    ホルダーランプ（発光部）
５０    操作表示部（設定情報表示部、属性設定部）
５２    電源ランプ
５４    未返却ランプ
５６    カードリーダ
５８    プリンタ
５８ａ  開口
５９    プリンタ扉
６０    ホルダー
６１    ワイヤーリング
６２    鍵
６４    カバー
６６    カバーインナー部材
６８    蓋部
９０    制御部
９２    記憶部
９４    音声部
９８    通信インターフェース部
１００  扉施錠部
【図１】
2016176213.tif 000003
【図２】
2016176213.tif 000004
【図３】
2016176213.tif 000005
【図４】
2016176213.tif 000006
【図５】
2016176213.tif 000007
【図６】
2016176213.tif 000008
【図７】
2016176213.tif 000009
【図８】
2016176213.tif 000010
【図９】
2016176213.tif 000011
【図１０】
2016176213.tif 000012
【図１１】
2016176213.tif 000013
【図１２】
2016176213.tif 000014
【図１３】
2016176213.tif 000015
【図１４】
2016176213.tif 000016
【図１５】
2016176213.tif 000017
【図１６】
2016176213.tif 000018
【図１７】
2016176213.tif 000019
【図１８】
2016176213.tif 000020